(57)【要約】【課題】高品位な表示を行うことができる電気泳動表示装置の駆動方法を提供すること。【解決手段】電気光学装置は、表示部１０に第一画像を表示した後、第一画像に引き続いて表示される第二画像と第一画像とを比較して、表示が書き換えられる書き換え画素と表示が維持される維持画素とを選別し、書き換え画素に印加される書き換え電圧を設定し、維持画素に隣り合う画素の書き換え電圧の和を取った後に、この和に応じて維持画素に印加される維持電圧を定め、こうして得られた書き換え電圧と維持電圧とを用いて表示部１０に第二画像を表示する。これにより、輪郭残像をなくして高い画像品位が得られると共に、電気光学材料の信頼性が保たれ、更に電気泳動表示装置の高いエネルギー効率を維持できる。【選択図】図５
2012237922.tif 000002
【特許請求の範囲】
【請求項１】
複数の画素を備えた表示部に第一画像を表示する工程と、
前記第一画像に引き続いて表示される第二画像と前記第一画像とを比較して、表示が書き換えられる書き換え画素と、表示が維持される維持画素と、を選別する工程と、
前記書き換え画素に印加される書き換え電圧を設定する工程と、
前記維持画素に隣り合う画素の前記書き換え電圧の和を取る工程と、
前記書き換え電圧の和に応じて前記維持画素に印加される維持電圧を定める工程と、
前記書き換え電圧と前記維持電圧とを用いて、前記表示部に前記第二画像を表示する工程と、を含む事を特徴とする電気光学装置の駆動方法。
【請求項２】
前記書き換え電圧の和がゼロでなく、前記維持画素の表示と同種類の表示に相当しない場合には、前記維持電圧を前記書き換え電圧の和と逆極性にする事を特徴とする請求項１に記載の電気光学装置の駆動方法。
【請求項３】
前記書き換え電圧の絶対値よりも前記維持電圧の絶対値の方が小さい事を特徴とする請求項２に記載の電気光学装置の駆動方法。
【請求項４】
前記維持電圧の絶対値が、前記書き換え電圧の絶対値の１００分の１から１０分の１の範囲に有る事を特徴とする請求項３に記載の電気光学装置の駆動方法。
【請求項５】
前記維持電圧の絶対値が、前記書き換え電圧の和に比例する事を特徴とする請求項３に記載の電気光学装置の駆動方法。
【請求項６】
前記書き換え電圧が二値で有る事を特徴とする請求項１乃至５のいずれか一項に記載の電気光学装置の駆動方法。
【請求項７】
前記書き換え電圧が三値以上の多値で有る事を特徴とする請求項１乃至５のいずれか一項に記載の電気光学装置の駆動方法。
【請求項８】
前記書き換え電圧の和がゼロでなく、前記維持画素の表示と同種類の表示に相当する場合には、前記維持電圧はゼロで有る事を特徴とする請求項１に記載の電気光学装置の駆動方法。
【請求項９】
前記書き換え電圧の和がゼロの場合には、前記維持電圧はゼロで有る事を特徴とする請求項１乃至８のいずれか一項に記載の電気光学装置の駆動方法。
【請求項１０】
請求項１乃至９のいずれか一項に記載の駆動方法により、前記表示部を表示駆動する事を特徴とする電気光学装置の制御回路。
【請求項１１】
第一画像に引き続いて表示される第二画像と前記第一画像とを比較して、表示が書き換えられる書き換え画素と、表示が維持される維持画素と、を選別する選別機能と、
前記書き換え画素に印加される書き換え電圧を設定する第一設定機能と、
前記維持画素に隣り合う画素の前記書き換え電圧の和と前記維持画素の表示状態に応じて判断を分ける判断機能と、
前記判断機能の判断結果に応じて、前記第二画像にて前記維持画素に印加される維持電圧を定める第二設定機能と、
前記書き換え電圧と前記維持電圧とを用いて、表示部に前記第二画像を表示する駆動機能と、を有する事を特徴とする電気光学装置の制御回路。
【請求項１２】
請求項１０又は１１に記載の制御回路を備えた事を特徴とする電気光学装置。
【請求項１３】
請求項１２に記載の電気光学装置を備えた事を特徴とする電子機器。
【発明の詳細な説明】
【技術分野】
【０００１】
本発明は、例えば電気泳動表示装置等の電気光学装置の駆動方法、電気光学装置の制御回路、電気光学装置、及び電子機器の技術分野に関する。
【背景技術】
【０００２】
この種の電気光学装置の一例としては、特許文献１に記載されている様に、電気泳動表示装置が知られている。電気泳動表示装置では、電気泳動材料を挟んで対向する画素電極及び共通電極間に電圧を印加して、黒色帯電粒子や白色帯電粒子等の電気泳動粒子を移動させる事で表示部に画像を形成している。電気泳動材料は電気泳動粒子を含有するマイクロカプセルから構成され、マイクロカプセルは画素電極と共通電極と間に接着剤によって固定されている。共通電極は対向電極と呼ばれる事もある。
このような電気泳動表示装置では、特許文献２に記載されている様に、表示部に表示されている画像を書き換える際、画像が部分的にしか変化しない場合には、変化する部分に対応する画素のみの画素電極及び共通電極間に電圧を印加する事により、画像を部分的に書き換える駆動方法（以下「部分書き換え駆動」と適宜称する）が採用されていた。例えば、図９（ａ）に示される様に、白地にＦの文字が表示されている画像を全面消去したい場合、従来の駆動方法では、Ｆの文字を為している黒色表示画素のみを白画像に書き換えていた。
【先行技術文献】
【特許文献】
【０００３】
【特許文献１】特許第３７５０５６５号公報
【特許文献２】特開２０１０−１１３２８１号公報
【発明の概要】
【発明が解決しようとする課題】
【０００４】
しかしながら、従来の電気泳動表示装置の駆動方法では、画像の書き換えの際に、前の画像の輪郭部に沿って、残像が発生するという課題が有った。尚、以下では、この様な輪郭部に沿った残像を「輪郭残像」と称する。例えば、図９（ａ）に示したＦの文字を消去しようとしても、実際には図９（ｂ）に示す様に、Ｆの文字の外周部に輪郭残像が出現していた。
この輪郭画像を強制的に消去すべく、特許文献２に示される様に、輪郭残像部や総ての画素に白画像を複数回書き込む駆動方法も検討されていた。しかしながら、こうした駆動方法を用いると、白画像書き込みの回数が黒画像書き込みの回数よりも著しく増える為に、長期的には電気泳動材料に直流成分が載る事になり、それ故に電気泳動材料が電気的に劣化するとの課題が有った。又、書き込み回数が増える為に、エネルギー効率も落ちるとの課題があった。換言すると、従来の電気泳動表示装置の駆動方法では、輪郭残像が発生しない所望の画像品位を得る事と、電気泳動材料の信頼性を保つ事及び電気泳動表示装置の高いエネルギー効率を維持する事と、を両立させるのが困難であるという課題が有った。
【課題を解決するための手段】
【０００５】
本発明は、前述の課題の少なくとも一部を解決する為になされたものであり、以下の形態または適用例として実現することが可能である。
【０００６】
（適用例１）  本適用例に係わる電気光学装置の駆動方法は、複数の画素を備えた表示部に第一画像を表示する工程と、第一画像に引き続いて表示される第二画像と第一画像とを比較して、表示が書き換えられる書き換え画素と、表示が維持される維持画素と、を選別する工程と、書き換え画素に印加される書き換え電圧を設定する工程と、維持画素に隣り合う画素の書き換え電圧の和を取る工程と、書き換え電圧の和に応じて維持画素に印加される維持電圧を定める工程と、書き換え電圧と維持電圧とを用いて、表示部に第二画像を表示する工程と、を含む事を特徴とする。
この構成によれば、輪郭残像をなくして所望の画像品位が得られると共に、電気光学材料の信頼性が保たれ、更に電気泳動表示装置の高いエネルギー効率を維持する事も可能となる。
【０００７】
（適用例２）  上記適用例に係わる電気光学装置の駆動方法において、書き換え電圧の和がゼロでなく、維持画素の表示と同種類の表示に相当しない場合には、維持電圧を書き換え電圧の和と逆極性にする事が好ましい。
この構成によれば、維持画素の周辺での書き換えによる維持画素への影響を相殺させる事ができるので、輪郭残像をなくす事が可能になる。
【０００８】
（適用例３）  上記適用例に係わる電気光学装置の駆動方法において、書き換え電圧の絶対値よりも維持電圧の絶対値の方が小さい事が好ましい。
この構成によれば、維持電圧が小さいので、電気光学材料の電気的な劣化を抑制し、電気光学装置の信頼性を高めると共にその製品寿命も長く保つ事が可能となる。
【０００９】
（適用例４）  上記適用例に係わる電気光学装置の駆動方法において、維持電圧の絶対値が、書き換え電圧の絶対値の１００分の１から１０分の１の範囲に有る事が好ましい。
この構成によれば、輪郭残像を抑制する事と電気光学装置の信頼性を高める事とを両立できる。
【００１０】
（適用例５）  上記適用例に係わる電気光学装置の駆動方法において、維持電圧の絶対値が、書き換え電圧の和に比例する事が好ましい。
この構成によれば、維持画素の周辺から及ぼされる書き換えの影響をその強弱に応じて除去するので、輪郭残像を抑制する事と電気光学装置の信頼性を高める事とを効果的に両立できる。
【００１１】
（適用例６）  上記適用例に係わる電気光学装置の駆動方法において、書き換え電圧が二値で有る事が好ましい。
この構成によれば、大がかりな制御回路を用いなくとも、電気光学装置を正確に駆動できる。
【００１２】
（適用例７）  上記適用例に係わる電気光学装置の駆動方法において、書き換え電圧が三値以上の多値で有る事が好ましい。
この構成によれば、階調表現が実現し、高品位な表示を行う電気光学装置を提供できる。
【００１３】
（適用例８）  上記適用例に係わる電気光学装置の駆動方法において、書き換え電圧の和がゼロでなく、維持画素の表示と同種類の表示に相当する場合には、維持電圧はゼロで有る事が好ましい。
この構成によれば、維持画素の表示と、その周辺で書き換えられる平均的な表示とが同種である為に、維持画素が正しい表示を継続する事ができる。
【００１４】
（適用例９）  上記適用例に係わる電気光学装置の駆動方法において、書き換え電圧の和がゼロの場合には、維持電圧はゼロで有る事が好ましい。
この構成によれば、周辺画素から維持画素への影響が殆ど無い時には維持電圧をゼロとするので、高品位な表示と低消費エネルギーとを両立できる。
【００１５】
（適用例１０）  本適用例に係わる電気光学装置の制御回路は、上記駆動方法により、表示部を表示駆動する事を特徴とする。
この構成によれば、輪郭残像の現れぬ高品位な画像を低消費電力で電気光学装置に表示し、而も電気光学装置の製品寿命を長く保つ制御回路を提供できる。
【００１６】
（適用例１１）  本適用例に係わる電気光学装置の制御回路は、第一画像に引き続いて表示される第二画像と第一画像とを比較して、表示が書き換えられる書き換え画素と、表示が維持される維持画素と、を選別する選別機能と、書き換え画素に印加される書き換え電圧を設定する第一設定機能と、維持画素に隣り合う画素の書き換え電圧の和と維持画素の表示状態に応じて判断を分ける判断機能と、判断機能の判断結果に応じて、第二画像にて維持画素に印加される維持電圧を定める第二設定機能と、書き換え電圧と維持電圧とを用いて、表示部に第二画像を表示する駆動機能と、を有する事を特徴とする。
この構成によれば、輪郭残像の現れぬ高品位な画像を低消費電力で電気光学装置に表示し、而も電気光学装置の製品寿命を長く保つ制御回路を提供できる。
【００１７】
（適用例１２）  本適用例に係わる電気光学装置は、上記の制御回路を備えた事を特徴とする。
この構成によれば、輪郭残像の現れぬ高品位な画像を低消費電力で表示し、而も製品寿命の長い電気光学装置を提供できる。
【００１８】
（適用例１３）  本適用例に係わる電子機器は、上記の電気光学装置を備えた事を特徴とする。
この構成によれば、輪郭残像の現れぬ高品位な画像を低消費電力で表示し、而も製品寿命の長い電気光学装置を備えた電子機器を提供できる。
【図面の簡単な説明】
【００１９】
【図１】実施形態１に係る電気泳動表示装置の斜視図。
【図２】電気泳動表示装置を機能ブロックごとに表したブロック図。
【図３】（ａ）回路ブロック構成図、（ｂ）画素の電気的な構成を示す等価回路図。
【図４】画素の断面構造を説明する図。
【図５】制御回路が実行するプログラムのフローチャートを説明する図。
【図６】電気光学装置の駆動方法の一例を説明した図。
【図７】電子ペーパーの構成を示す斜視図。
【図８】電子ノートの構成を示す斜視図。
【図９】従来の駆動方法で表示した画像の持つ課題点を説明した図。
【発明を実施するための形態】
【００２０】
以下、本発明の実施形態について、図面を参照して説明する。なお、以下の各図においては、各層や各部材を認識可能な程度の大きさにするため、各層や各部材の尺度を実際とは異ならせしめている。
【００２１】
（実施形態１）
「電子機器の概要」
先ず、実施形態１に係る電子機器の全体構成（概要）について、図１を参照して説明する。
【００２２】
図１は、本発明における電子機器の斜視図である。
本発明に係る電子機器１００は、電気光学装置と、電子機器１００を操作するためのインターフェイスとを備えている。インターフェイスとは、具体的には操作部１２０で、スイッチなどから構成される。電気光学装置は表示部１０を有するディスプレイモジュールである。表示部１０は複数の画素から成り、これらの画素が電気的に制御される事で表示部１０に画像が表示される。本実施形態では電気光学装置として電気泳動表示装置が使用されている。電気泳動表示装置では、電気泳動材料を用いて表示がなされる。
【００２３】
電子機器１００では、第一画像から第二画像へと画像が書き換えられる際に、部分書き換え駆動が用いられる。第二画像とは、或る画像（第一画像）に引き続いて表示される次の画像である。その際に、まず、第一画像と第二画像とを比較して、表示が書き換えられる画素（書き換え画素と称する）と、表示が維持される画素（維持画素と称する）とを選別する。次いで、書き換え画素に印加される電圧（書き換え電圧と称する）Ｖwを書き換えられる表示階調に適する様に設定する。電気光学装置の各画素は明表示と暗表示との間で表示を適宜変えるが、その変え具合が表示階調である。その後、維持画素の隣りに位置する周辺画素に印加される書き換え電圧Ｖwの和を計算する。次に、書き換え電圧Ｖwの和に応じて第二画像の表示時にその維持画素に印加される電圧（維持電圧と称する）Ｖrを定める。最後に、こうして得られた書き換え電圧Ｖwと維持電圧Ｖrとを用いて、表示部１０に第二画像を表示する。こうする事で輪郭残像をなくすと共に、電気泳動材料の電気的劣化を抑制し、部分書き換え駆動による高エネルギー効率性を維持する事ができる。
【００２４】
「電子機器の基本構成」
図２は本実施形態に係る電子機器を、機能ブロック毎に表したブロック図である。
電子機器１００は、電気光学装置１５０と操作部１２０とを有している。場合によっては更に画像信号供給回路１３０を電子機器１００が備えていても良い。操作部１２０はユーザーが電子機器１００を操作する部位である。電気光学装置１５０は、表示部１０と、表示部１０に電圧を印加する駆動回路７０と、制御回路１４０とを有している。更には、操作部１２０などを電気光学装置１５０が備えていても良い。制御回路１４０は、好適例として、制御部６０と記憶部９０と画像信号処理部８０とフレームメモリー１１０とを含んで構成されている。記憶部９０は表示部に表示するための画像データ等を記憶する。画像信号処理部８０は駆動回路７０に画像信号を供給する。制御部６０はこれらを制御する。尚、本実施形態に係わる電子機器の基本構成は、上述の構成に限定される物ではなく、本実施形態に係る駆動方法を実現可能な回路構成であれば良い。
【００２５】
制御部６０は、ＣＰＵ（Ｃｅｎｔｒａｌ  Ｐｒｏｃｅｓｓｉｎｇ  Ｕｎｉｔ）であり、各部の動作を制御する。また、制御部６０には記憶部９０が付随している。記憶部９０は、例えば、フラッシュメモリーなどの不揮発性記憶装置により構成されている。記憶部９０には表示部１０に表示する各種画像データや、電子機器１００の動作を定める各種プログラム或いはルックアップテーブル、などが記憶されている。これらのデータは、外部の画像信号供給回路１３０から入力され、必要に応じて入れ替えられる。尚、画像信号供給回路１３０は、主に入れ替えられるデータが画像信号で有る為に、この様に命名されているが、前述の各種プログラムやルックアップテーブルなども画像信号供給回路１３０を介して入れ替える事が可能である。画像信号供給回路１３０は、インターネットに接続するパーソナルコンピューターや携帯電話、或いはＵＳＢメモリーやＳＤカードなどに備えられ、新たなデータを電子機器１００に供給する。前述の如く、画像信号供給回路１３０を電子機器１００が備えており、電子機器１００単体でインターネットや携帯電話網などに接続する様にしても良い。
【００２６】
画像信号処理部８０は、フレームメモリー１１０を付随しており、記憶部９０から取り出した画像データに応じて画像信号を作製し、これを駆動回路７０に供給する。具体的には、フレームメモリー１１０に収納されている第一画像に対応する画像信号と記憶部９０に収納されている第二画像データとから、画像信号処理部８０と制御部６０とが第二画像に対応する画像信号を生成する。画像信号処理部８０は、こうして得られた画像信号を駆動回路７０に供給する。尚、フレームメモリー１１０は、表示部１０の少なくとも１フレーム分以上の画像データを記憶可能なメモリー容量を備えたＶＲＡＭ（Ｖｉｄｅｏ  Ｒａｎｄｏｍ  Ａｃｃｅｓｓ  Ｍｅｍｏｒｙ）である。メモリー容量は２フレーム分以上有る事が望ましい。
【００２７】
操作部１２０は、複数の操作ボタン（図１参照）を含んで構成されており、当該操作ボタンによって、ユーザーは電子機器１００に、表示を切り換えるためのトリガー信号を与える。
【００２８】
図３（ａ）は本実施形態に係る電気泳動表示装置の表示部と駆動回路との構成を示す回路ブロック構成図であり、（ｂ）は画素の電気的な構成を示す等価回路図である。又、図４は画素の断面構造を説明する図である。次に、図３及び図４を用いて本実施例に係る電気泳動表示装置の表示部と駆動回路との構成、及び断面構造とを説明する。
【００２９】
図３（ａ）に示されている様に、表示部１０には、ｍ行×ｎ列分の画素２０が行列状（二次元平面的）に配列されている。又、表示部１０には、ｍ本の走査線３０（即ち、走査線Ｙ１、Ｙ２、…、Ｙｍ）と、ｎ本のデータ線４０（即ち、データ線Ｘ１、Ｘ２、…、Ｘｎ）とが互いに交差するように設けられている。具体的には、ｍ本の走査線３０は行方向（即ち、Ｘ方向）に延在し、ｎ本のデータ線４０は列方向（即ち、Ｙ方向）に延在している。ｍ本の走査線３０とｎ本のデータ線４０との交差点に対応して画素２０が配置されている。
【００３０】
表示部１０には駆動回路７０が付属している。駆動回路７０は、コントローラー７１や走査線駆動回路７２、データ線駆動回路７３、共通電位供給回路７４などから構成されている。コントローラー７１は、走査線駆動回路７２とデータ線駆動回路７３、及び共通電位供給回路７４の動作を制御し、クロック信号やタイミング信号等の各種信号を各回路に供給する。
【００３１】
走査線駆動回路７２は、コントローラー７１から供給されるタイミング信号に基づいて、走査線Ｙ１、Ｙ２、…、Ｙｍの各々に走査信号をパルス的に順次供給する。データ線駆動回路７３は、コントローラー７１から供給されるタイミング信号に基づいて、データ線Ｘ１、Ｘ２、…、Ｘｎに画像信号を供給する。画像信号は、書き換え電圧Ｖwや維持電圧Ｖr等であり、これらは高電位ＶH（例えば１５Ｖ）と低電位ＶL（例えば−１５Ｖ）との間で多値的な電位をとる。なお、本実施形態では、書き換え電圧Ｖwは二値であり、明表示（白の表示）に書き換えられる画素２０に対して低電位ＶLの画像信号が供給され、暗表示（黒の表示）に書き換えられる画素２０に対して高電位ＶHの画像信号が供給される。
【００３２】
共通電位供給回路７４は、共通電位線５０に共通電位Ｖcomを供給する。尚、共通電位Ｖcomは一定の電位であっても良いし、例えば書き込む階調やフレームに応じて変えても良い。本実施形態では、共通電位Ｖcomが総ての電位に対する基準電位となり、共通電位を０Ｖとしている。従って、先の高電位ＶH（例えば１５Ｖ）や低電位ＶL（例えば−１５Ｖ）はそのまま共通電位Ｖcomに対する電位差ともなる。尚、コントローラー７１、走査線駆動回路７２、データ線駆動回路７３及び共通電位供給回路７４には、各種の信号が入出力されるが、本実施形態と特に関係のない物については説明を省略している。
【００３３】
図３（ｂ）の回路図と図４の断面図とに示される様に、画素２０は、画素スイッチング用トランジスター２１と、画素電極２２と、共通電極２３と、電気泳動材料２４と、保持容量２５とを備えている。
【００３４】
画素スイッチング用トランジスター２１は、例えばＮ型トランジスターで構成されている。ここでは上ゲート型の薄膜トランジスターが採用されているが、下ゲート型の薄膜トランジスターで有っても構わない。画素スイッチング用トランジスター２１は、そのゲートが走査線３０に電気的に接続されており、そのソースがデータ線４０に電気的に接続されており、そのドレインが画素電極２２及び保持容量２５の一端に電気的に接続されている。保持容量２５は、誘電体膜を介して対向配置された一対の電極からなり、一方の電極（一端）が、画素電極２２及び画素スイッチング用トランジスター２１に電気的に接続され、他方の電極（他端）が共通電位線５０に電気的に接続されている。この保持容量２５によって画像信号を一定期間だけ維持することができる。画素スイッチング用トランジスター２１は、データ線駆動回路７３からデータ線４０を介して供給される画像信号を、走査線駆動回路７２から走査線３０を介してパルス的に供給される走査信号に応じたタイミングで、画素電極２２及び保持容量２５に出力する。
【００３５】
画素電極２２には、データ線駆動回路７３からデータ線４０及び画素スイッチング用トランジスター２１を介して、画像信号が供給される。画素電極２２は、電気泳動材料２４を介して共通電極２３と互いに対向するように配置されている。共通電極２３は、共通電位Ｖcomが供給される共通電位線５０に電気的に接続されている。共通電極２３は、画素電極２２が形成された基板に対向する基板に設けられ、電気泳動粒子は図４に示す断面図の上下方向で電気泳動する。尚、共通電極２３を画素電極２２が形成された基板に設けて、電気泳動粒子が図４の断面図の水平方向（図４の左右方向）に電気泳動する構成としても良い。
【００３６】
電気泳動材料２４は、電気泳動粒子をそれぞれ含んでなる複数のマイクロカプセルから構成されている。本実施形態では、例えば黒色の粒子は正に帯電しているものとし、白色の粒子は負に帯電しているものとする。従って、図４に示す様に、画素電極２２に低電位ＶL（例えば−１５Ｖ）を供給し、共通電位Ｖcomが０Ｖであると、正に帯電している黒色の粒子は画素電極２２の近くに引き寄せられ、負に帯電している白色の粒子は共通電極２３の近く引き寄せられる。従って電気光学装置１５０を図４の上方から見ると、その画素２０は白表示している事になる。尚、帯電粒子は白黒に限らず、色相環（ｃｏｌｏｒ  ｃｉｒｃｌｅ）で正反対に位置する関係の色（相補的な色）の組み合わせとしても良い。例えば赤色微粒子と緑色微粒子との組み合わせや、黄色微粒子と紫色微粒子との組み合わせ、青色微粒子と橙色微粒子との組み合わせ、等にしても良い。その他にも赤色と緑色と青色との加法混色の三原色から適当な二色を組み合わせにしても良いし、或いは、シアンとマゼンタとイエローとの減法混色の三原色から適当な二色を組み合わせにしても良いし、更にはこれらの六色から適当な二色を組み合わせても良い。又、電気泳動粒子はマイクロカプセルに閉じ込められる必要もなく、例えば、隔壁を設けてその内部に収納しても良い。
【００３７】
「電気光学装置の制御回路、及び電気光学装置の駆動方法」
図５は電気光学装置の制御回路が実行するプログラムのフローチャートを説明する図である。又、図６は電気光学装置の駆動方法の一例を説明した図である。以下、本実施形態に係る制御回路、及び電気光学装置の駆動方法について説明する。
【００３８】
図５を用いて制御回路１４０が保有する機能について説明する。表示部１０に表示されている第一画像を、部分書き換え駆動を用いて、第二画像に表示変更すべく、制御回路１４０は、選別機能（Ｓ１）と、第一設定機能（Ｓ２）と、判断機能（Ｓ３）と、第二設定機能（Ｓ４）と、駆動機能（Ｓ５）と、を保有している。
【００３９】
第一画像の書き換えが開始すると、まず工程Ｓ１として選別機能が動作する。選別機能とは、第一画像に引き続いて表示される第二画像と第一画像とを比較して、表示が書き換えられる書き換え画素と表示が維持される維持画素とを選別する機能である。
【００４０】
次に、工程Ｓ２として第一設定機能が動作する。第一設定機能とは、書き換え画素に印加される書き換え電圧Ｖwを設定する機能である。この際に維持画素に印加される維持電圧Ｖrに仮の値として０Ｖを割り振っても良い。こうすると後の判断機能が容易になるからである。書き換え電圧Ｖwは、書き換え画素が白表示から黒表示への書き換えならば高電位ＶHであり、黒表示から白表示への書き換えならば低電位ＶLである。
【００４１】
次に、工程Ｓ３として判断機能が動作する。判断機能とは維持画素を分類する機能である。或る一つの維持画素は自身に隣り合う画素の書き換え電圧Ｖwの和とその維持画素の表示状態に応じて、判断機能により、四種に分類される。判断機能は三段階で動作する。第一判断段階Ｓ３−１では維持画素の周りの書き換え電圧Ｖwの和がゼロか否かを判断する。本実施形態では画素２０の形状が四角形で有る為に、平面視に於いて維持画素の上下左右に位置する四画素について書き換え電圧Ｖwの和を取り、この和を調べる。周辺四画素の内のどれが書き換え画素かを判定して、書き換え電圧Ｖwの和を取るよりも、維持電圧Ｖrに仮の値として０Ｖを割り振り、総ての周辺画素で和を取った方が容易であるので、工程Ｓ２では維持電圧Ｖrに仮の値として０Ｖを割り振っている。
【００４２】
周辺画素での書き換え電圧Ｖwの和がゼロでないと、第二判断段階Ｓ３−２に進む。第二判断段階Ｓ３−２では、周辺画素での書き換え電圧Ｖwの和が、今対象としている維持画素の表示と同種類で有るかどうかを判断する。即ち、対象としている維持画素が第一画像にて行っている表示に書き換えられた際に印加された書き換え電圧Ｖwの極性（正負）と、第二画像を作製する際に、維持画素の周辺画素の書き換え電圧Ｖwの和の極性と、を比較する。例えば、維持画素が黒色で有る場合、黒色に書き換える際にはその維持画素には高電位ＶH（正の電位）が加えられている。この場合には、周辺画素での書き換え電圧Ｖwの和が正であれば、周辺画素での書き換え電圧Ｖwの和は同種類の表示に相当する。反対に周辺画素での書き換え電圧Ｖwの和が負であれば、周辺画素での書き換え電圧Ｖwの和は同種類の表示には相当しない。同様に、維持画素が白色で有る場合、白色に書き換える際にはその維持画素には低電位ＶL（負の電位）が加えられている。この場合には、周辺画素での書き換え電圧Ｖwの和が負であれば、周辺画素での書き換え電圧Ｖwの和は同種類の表示に相当する。反対に周辺画素での書き換え電圧Ｖwの和が正であれば、周辺画素での書き換え電圧Ｖwの和は同種類の表示には相当しない。要するに周辺画素での書き換え電圧Ｖwの和が正であれば周辺画素は平均として黒色種類の表示に相当し、負であれば周辺画素は平均として白色種類の表示に相当する。この様に第二画像に於ける周辺画素の平均的な表示色（平均階調）と維持画素の表示色（階調）とが同種か否かを判断するのが第二判断段階Ｓ３−２である。
【００４３】
対象としている維持画素の周辺画素での書き換え電圧Ｖwの和が、その維持画素の表示と同種類の表示に相当しない場合には、第三判断段階Ｓ３−３に進む。第三判断段階Ｓ３−３では、周辺画素での書き換え電圧Ｖwの和が正の極性か否かを判断する。この様な三段階の判断を経て、判断機能では維持画素を、（１）周辺画素での書き換え電圧Ｖwの和がゼロ、（２）周辺画素での書き換え電圧Ｖwの和がゼロでなく、維持画素の表示と同種類の表示に相当する、（３）周辺画素での書き換え電圧Ｖwの和がゼロでない正の値で、維持画素の表示と同種類の表示に相当しない、（４）周辺画素での書き換え電圧Ｖwの和がゼロでない負の値で、維持画素の表示と同種類の表示に相当しない、の四種に分類する。尚、判断機能では維持画素を上述の四種に分類できればそれで良く、第一判断段階Ｓ３−１から第三判断段階Ｓ３−３への順序は問われない。例えば、第一判断段階Ｓ３−１の次に第三判断段階Ｓ３−３を行い、その後に第二判断段階Ｓ３−２を行っても良い。
【００４４】
次に、工程Ｓ４として第二設定機能が動作する。第二設定機能とは、判断機能の判断結果（維持画素の分類結果）に応じて、第二画像にて維持画素に印加される維持電圧Ｖrを定める機能である。第二設定機能は、第一種第二設定機能Ｓ４−１と、第二種第二設定機能Ｓ４−２と、第三種第二設定機能Ｓ４−３と、三種類存在する。第二設定機能では、周辺画素での書き換え電圧Ｖwの和がゼロでなく、周辺画素での書き換え電圧Ｖwの和が維持画素の表示と同種類の表示に相当しない場合には、維持電圧Ｖrを書き換え電圧Ｖwの和と逆極性にする。即ち、第一種第二設定機能Ｓ４−１は、周辺画素での書き換え電圧Ｖwの和がゼロの場合に、維持電圧Ｖrをゼロに設定する。又、第一種第二設定機能Ｓ４−１は、周辺画素での書き換え電圧Ｖwの和がゼロでなく、周辺画素での書き換え電圧Ｖwの和が維持画素の表示と同種類の表示に相当する場合にも、維持電圧Ｖrをゼロに設定する。第二種第二設定機能Ｓ４−２では、対象としている維持画素が、周辺画素での書き換え電圧Ｖwの和がゼロでない正の値で、その維持画素の表示と同種類の表示に相当しない場合に、維持電圧Ｖrとして負の小さい値を設定する。又、第三種第二設定機能Ｓ４−３では、対象としている維持画素が、周辺画素での書き換え電圧Ｖwの和がゼロでない負の値で、その維持画素の表示と同種類の表示に相当しない場合に、維持電圧Ｖrとして正の小さい値を設定する。小さい値とは維持電圧Ｖrの絶対値が書き換え電圧Ｖwの絶対値よりも小さい事（｜Ｖr｜＜｜Ｖw｜）を意味する。例えば書き換え電圧がＶw＝±１５Ｖの場合、小さい値の維持電圧とはＶr＝±０．５Ｖ程度である。維持電圧Ｖrが小さい値を取る際にその絶対値は、最も大きい書き換え電圧Ｖwの絶対値の１００分の１から１０分の１の範囲に有る事が好ましい。今の例では、維持電圧Ｖrが取る小さい値の絶対値は０．１５Ｖから１．５Ｖの範囲に有るのが好ましい。実験によると、最も大きい書き換え電圧Ｖwの絶対値の１００分の１よりも維持電圧Ｖrが取る小さい値の絶対値が大きければ、輪郭残像の発生を抑制でき、最も大きい書き換え電圧Ｖwの絶対値の１０分の１よりも維持電圧Ｖrが取る小さい値の絶対値が小さければ、電気泳動材料２４の電気的な劣化を抑制できるからである。
【００４５】
最後に、工程Ｓ５として駆動機能が動作する。駆動機能とは、工程Ｓ２で得られた書き換え電圧Ｖwと工程Ｓ４で得られた維持電圧Ｖrとを用いて、表示部１０に第二画像を表示する機能である。この機能の詳細は、先の「電子機器の基本構成」に記述した通りである。こうして第一画像から第二画像への書き換えが終了し、制御回路１４０は電気光学装置１５０の表示部１０を表示駆動する事になる。
【００４６】
次に、図６を用いて、電気光学装置１５０の駆動方法の一例を説明する。図６は画素が３行８列に配置された電気光学装置１５０の一例で、（ａ）は第一画像を表し、（ｂ）は第二画像を表す。例えば１行（ｉ＝１）一列（ｊ＝１）に位置する画素（１，１）は第一画像（図６（ａ））で白表示をなし、第二画像（図６（ｂ））でも白表示をする維持画素である。一方、画素（１，２）は第一画像（図６（ａ））で黒表示をなし、第二画像（図６（ｂ））では白表示をする書き換え画素である。（図６（ｂ））の各画素には、第二画像を表示する際に各画素電極２２に印加される電圧の一例を数字で記載してある。この例では、白への書き換え電圧は−１５Ｖで、黒への書き換え電圧は＋１５Ｖで、維持電圧は０Ｖか−０．５Ｖか＋０．５Ｖである。図６（ｂ）では電圧単位Ｖを省略してある。
【００４７】
白から黒への書き換え画素は、画素（１，３）と、画素（１，５）と、画素（１，６）と、画素（２，１）と、画素（２，８）と、画素（３，３）と、画素（３，４）と、画素（３，６）と、である。これらの画素ではＶw＝＋１５Ｖとなる。一方、黒から白への書き換え画素は、画素（１，２）と、画素（１，４）と、画素（１，７）と、画素（３，２）と、画素（３，５）と、画素（３，７）と、である。これらの画素ではＶw＝−１５Ｖとなる。その他は皆維持画素となり、維持画素はその画素タイプに応じてＡからＦに分類されている。図６（ｂ）には画素タイプも記載してある。維持画素の分類結果と各維持画素へ印加する維持電圧Ｖrとを表１に掲げる。
【００４８】
【表１】
2012237922.tif 000003
【００４９】
画素タイプＡは画素（２，４）である。この画素は黒から黒への維持画素で、左右に隣り合う画素が維持画素であり、上に隣り合う画素が白書き換え画素で−１５Ｖ印加され、下に隣り合う画素が黒書き換え画素で＋１５Ｖ印加されるので、周辺画素へ書き換え電圧Ｖwの和はゼロである。従って、周辺画素の変化は平均的には中性で、維持電圧Ｖrは０Ｖとなる。
【００５０】
画素タイプＢは画素（２，３）である。この画素は黒から黒への維持画素で、左右に隣り合う画素が維持画素であり、上に隣り合う画素が黒書き換え画素で＋１５Ｖ印加され、下に隣り合う画素も黒書き換え画素で＋１５Ｖ印加されるので、周辺画素へ書き換え電圧Ｖwの和は＋３０Ｖである。従って、周辺画素の変化は平均的には白から黒への書き換えであるが、維持画素の表示と同種類の表示となるので、維持電圧Ｖrは０Ｖとなる。
【００５１】
画素タイプＣは画素（２，２）である。この画素は黒から黒への維持画素で、左に隣り合う画素が黒書き換え画素で＋１５Ｖ印加され、右に隣り合う画素が維持画素であり、上に隣り合う画素が白書き換え画素で−１５Ｖ印加され、下に隣り合う画素も白書き換え画素で−１５Ｖ印加されるので、周辺画素へ書き換え電圧Ｖwの和は−１５Ｖである。従って、周辺画素の変化は平均的には黒から白への書き換えであり、而も維持画素の表示と異なる種類の表示となるので、維持電圧Ｖrは＋０．５Ｖとなる。
【００５２】
画素タイプＤは画素（２，５）である。この画素は白から白への維持画素で、左右に隣り合う画素が維持画素であり、上に隣り合う画素が黒書き換え画素で＋１５Ｖ印加され、下に隣り合う画素が白書き換え画素で−１５Ｖ印加されるので、周辺画素へ書き換え電圧Ｖwの和はゼロである。従って、周辺画素の変化は平均的には中性で、維持電圧Ｖrは０Ｖとなる。画素（２，５）の他に画素（１，１）も画素（１，８）も画素（３，１）も画素（３，８）も画素タイプＤとなる。
【００５３】
画素タイプＥは画素（２，６）である。この画素は白から白への維持画素で、左右に隣り合う画素が維持画素であり、上に隣り合う画素が黒書き換え画素で＋１５Ｖ印加され、下に隣り合う画素も黒書き換え画素で＋１５Ｖ印加されるので、周辺画素へ書き換え電圧Ｖwの和は＋３０Ｖである。従って、周辺画素の変化は平均的には白から黒への書き換えであり、而も維持画素の表示と異なる種類の表示となるので、維持電圧Ｖrは−０．５Ｖとなる。
【００５４】
画素タイプＦは画素（２，７）である。この画素は白から白への維持画素で、右に隣り合う画素が黒書き換え画素で＋１５Ｖ印加され、左に隣り合う画素が維持画素であり、上下に隣り合う画素が白書き換え画素でそれぞれ−１５Ｖ印加されるので、周辺画素へ書き換え電圧Ｖwの和は−１５Ｖである。従って、周辺画素の変化は平均的には黒から白への書き換えであるが、維持画素の表示と同種類の表示となるので、維持電圧Ｖrは０Ｖとなる。
【００５５】
画素２０が四角形で書き換え電圧Ｖwが＋１５Ｖと−１５Ｖとの二値の場合、周辺画素の書き換え電圧Ｖwの和は−６０Ｖから＋６０Ｖ迄変化する。これを纏めたのが表２である。表２では電圧の単位Ｖを省略してある。
【００５６】
【表２】
2012237922.tif 000004
【００５７】
表示部１０の最外周以外に位置する画素２０は、四個の周辺画素（隣画素１から隣画素４）を有する。表２では周辺画素に印加される書き換え電圧と、隣が維持画素の時は仮の維持電圧０Ｖとを記載してある。本実施形態では周辺画素に印加される書き換え電圧Ｖwの和の極性に応じて、その極性と反対の極性になる小さい値を維持電圧Ｖrとする。斯うする事で、ルックアップテーブルの記憶容量が小さく済み、維持電圧も０Ｖの他は正負の二種類の電圧で済む。即ち、電気光学装置１５０に提供すべき維持電圧の種類が三種類で済む。
【００５８】
本実施形態では、第一画像から第二画像へと表示を切り替える際に、一枚のフレームを用いていた。この他に、第一画像から第二画像へと表示を切り替える際に、複数のフレーム（第１フレームから第ｋフレームまでのｋ枚のフレーム、ｋは２以上の整数値）を用いて切り替えても良い。次にこの場合の電圧印加方法を述べる。
・黒書き換え画素：ｋ枚のフレーム総てで高電位ＶH（例として＋１５Ｖ）を供給する。
・白書き換え画素：ｋ枚のフレーム総てで低電位ＶL（例として−１５Ｖ）を供給する。
・画素タイプＡ：ｋ枚のフレーム総てで０Ｖを供給する。
・画素タイプＢ：ｋ枚のフレーム総てで０Ｖを供給する。
・画素タイプＣ：ｋ枚のフレームの中で少なくとも一枚のフレームには正の小さい電圧（例として＋０．５Ｖ）を供給する。ｐを２以上ｋ以下の整数値として、ｐ枚のフレームで正の小さい電圧（例として＋０．５Ｖ）を供給しても良い。第二画像を形成する為の最終フレーム（第ｋフレーム）には正の小さい電圧（例として＋０．５Ｖ）が供給されるのが好ましい。
・画素タイプＤ：ｋ枚のフレーム総てで０Ｖを供給する。
・画素タイプＥ：ｋ枚のフレームの中で少なくとも一枚のフレームには負の小さい電圧（例として−０．５Ｖ）を供給する。ｐを２以上ｋ以下の整数値として、ｐ枚のフレームで負の小さい電圧（例として−０．５Ｖ）を供給しても良い。第二画像を形成する為の最終フレーム（第ｋフレーム）には負の小さい電圧（例として−０．５Ｖ）が供給されるのが好ましい。
・画素タイプＦ：ｋ枚のフレーム総てで０Ｖを供給する。
【００５９】
「電子機器」
次に、前述した電気泳動表示装置を適用した電子機器について、図７及び図８を参照して説明する。以下では、前述した電気泳動表示装置を電子ペーパー及び電子ノートに適用した場合を例にとる。
【００６０】
図７は、電子ペーパーの構成を示す斜視図である。図７に示す様に、電子ペーパー４００は、本実施形態に係る電気泳動表示装置を表示部１０として備えている。電子ペーパー４００は可撓性を有し、従来の紙と同様の質感及び柔軟性を有する書き換え可能なシートからなる本体４０２を備えて構成されている。
【００６１】
図８は、電子ノートの構成を示す斜視図である。図８に示す様に、電子ノート５００は、図７で示した電子ペーパー４００が複数枚束ねられ、カバー５０１に挟まれているものである。カバー５０１は、例えば外部の装置から送られる表示データを入力する為の表示データ入力手段（画像信号供給回路１３０）を備える。これにより、その表示データに応じて、電子ペーパーが束ねられた状態のまま、表示内容の変更や更新を行うことができる。
【００６２】
前述した電子ペーパー４００及び電子ノート５００は、本実施形態に係る電気泳動表示装置を備えるので、高品質な画像表示を行うことが可能である。尚、これらの他に、腕時計や携帯電話、携帯用オーディオ機器などの電子機器の表示部に、本実施形態に係る電気泳動表示装置を適用することができる。
【００６３】
「輪郭残像の原因並びに本願効果の理由」
出願人等は輪郭残像の発生原因を鋭意調査研究した。ここではその発生原因を述べると共に、本実施形態による駆動方法が輪郭残像を抑制するのに効果を発する理由を述べる。
【００６４】
従来技術の駆動方法では、維持画素の画素電極２２には常に０Ｖが書き込まれていた。一方、維持画素の隣が書き換え画素で有る場合、隣の書き換え画素の画素電極２２と維持画素の画素電極２２と間には電位差が発生する。電気泳動材料は完全な絶縁体ではなく、僅かに漏れ電流を通す。この為に、書き換え画素の画素電極２２から維持画素の画素電極２２へと漏れ電流が生じ、維持画素の画素電極電位が当初の０Ｖから変動していた。例えば、まず、第一画像を作る際に、白から黒への書き換え画素の隣に位置する白の維持画素の表示が僅かに変わって仕舞っていた（僅かに黒くなっていた）。これにより白黒の境界部が滲んで鮮明な輪郭になっていなかった。次に第二画像を表示する際に、第一画像作成時に表示が僅かに黒くなった白の維持画素が、第二画像でも再度維持画素となり、隣が黒から白への書き換え画素の場合に、僅かに黒くなった白の維持画素が輪郭残像として視認されていた。即ち、白黒電気泳動粒子の動作の非対称性の為、滲んだ境界部分を消去しきれず、輪郭部分が残像として残っていた。
【００６５】
要するに輪郭残像は、部分書き換え駆動を行った際に、隣り合う画素電極２２間に漏れ電流が生じ、維持電圧が変動して境界部が滲み、更に白黒に応じて滲み量が異なる為に輪郭部が残像として発生していた。本実施形態では、この漏れ電流を相殺させる形で維持電圧Ｖrを印加しているので、輪郭残像が抑制される訳である。
【００６６】
輪郭残像の原因である維持電圧の変動ΔＶrは、漏れ電流×保持期間（フレーム期間中の非選択期間）／（保持容量２５＋画素容量）である。画素容量（画素電極２２と共通電極２３との間の容量）は保持容量２５よりも十分に小さく、保持期間はほぼフレーム期間に等しいので、維持電圧の変動ΔＶr＝漏れ電流×フレーム期間／保持容量と近似される。この式と上述の輪郭残像発生機構とを踏まえた上でキーポイントとなるのは、（１）画素電極２２の間の漏れ電流（画素電極２２の間が広い程、電気泳動材料２４の絶縁性が高い程、輪郭残像は抑制される）、（２）保持容量２５（保持容量２５の容量が大きい程、輪郭残像は抑制される）、（３）フレーム期間（フレーム期間が短い程、輪郭残像は抑制される）、（４）電気泳動材料２４における白黒粒子の動作応答・滲みの非対称性（白黒粒子の動作応答性や滲みが対称である程、輪郭残像は抑制される）、となる事が分かる。
【００６７】
一方で、電気光学装置１５０では画面の大型化と高精細化とが進んでいる。この様に画素数が増え、解像度が高くなる事は画素電極２２の間が狭まり、フレーム期間が長くなり、保持容量が低下して行く事を意味する。この為に、輪郭残像はより強まる傾向にある。本実施形態は輪郭残像を抑制するので、大型化や高解像度化が進んだ電気光学装置１５０で有っても高品位な表示を実現する事ができる。
【００６８】
以上述べたように、本実施形態に係る電子機器１００（駆動方法）によれば、以下の効果を得ることができる。
大型化や高解像化が進んだ電気光学装置１５０で有っても白黒境界部の滲みを抑制し、輪郭残像は現れない。即ち、高品位な表示が実現される。併せて、維持電圧Ｖrの絶対値が小さいので、電気泳動材料２４に長時間に渡り直流成分が載る事がなく、その電気的な劣化を抑制できる。従って、本実施形態の駆動方法によれば、所期の画像品位を得る事ができ、且つ電子機器１００の製品寿命を延ばす事ができる。又、所期の画像品位と製品寿命とが得られる制御回路１４０、及び電気光学装置１５０を提供する事ができる。
【００６９】
尚、本実施形態では電気光学装置１５０の一例として電気泳動表示装置を用いたが、その他の電気光学装置１５０にも適用可能である。即ち、本実施形態は、画素電極２２と対向電極との間に電圧を印加して表示状態を変え、これらの電極間に電圧が掛からなければ表示状態を維持する電気光学装置１５０全般に適応する事ができる。具体的には帯電微粉末を気相で移動させる電気粉流表示装置やコレステリック液晶を使用した液晶表示装置などに適応できる。
【００７０】
（実施形態２）
「維持電圧比例方式」
表３は、実施形態２に係わる電気光学装置の駆動方法を説明する物である。以下、本実施形態に係わる電気光学装置の駆動方法と制御回路とについて説明する。尚、実施形態１と同一の構成部位については、同一の番号を附し、重複する説明は省略する。
【００７１】
本実施形態（表３）は実施形態１（表２）と比べて、維持電圧の供給形態が異なっている。それ以外の構成は、実施形態１とほぼ同様である。
【００７２】
【表３】
2012237922.tif 000005
【００７３】
実施形態１では、表２に示す様に、維持電圧の小さい値は正負の定数（±０．５Ｖ）で有った。これに対して、本実施形態では、維持電圧Ｖrの絶対値が、その周辺画素に於ける書き換え電圧ＶWの和に比例する。即ち、Ｖr＝−αΣＶW、０．０１＜α＜０．１、と表現される。表３にはα＝０．０３３３とした例が電圧単位Ｖを省略して記載してある。例えば、対象とする画素が白から白への維持画素で、その周辺４画素が総て白から黒への書き換え画素で有る場合、周辺４画素に於ける書き換え電圧ＶWの和は＋６０Ｖとなり、維持電圧Ｖrは−２．０Ｖとなる。又、白から白への維持画素で、その周辺４画素の内で３画素が白から黒への書き換え画素で、残りの１画素が維持画素で有る場合、周辺４画素に於ける書き換え電圧ＶWの和は＋４５Ｖとなり、維持電圧Ｖrは−１．５Ｖとなる。或いは維持画素の周辺４画素の内で１画素が白から黒への書き換え画素で、別の１画素が黒から白への書き換え画素で、残りの２画素が維持画素で有る場合、周辺４画素に於ける書き換え電圧ＶWの和は０Ｖとなり、維持電圧Ｖrは０Ｖとなる。同様に、黒から黒への維持画素で、その周辺４画素の内で３画素が黒から白への書き換え画素で、残りの１画素が維持画素で有る場合、周辺４画素に於ける書き換え電圧ＶWの和は−４５Ｖとなり、維持電圧Ｖrは＋１．５Ｖとなる。又、黒から黒への維持画素で、その周辺４画素が総て黒から白への書き換え画素で有る場合、周辺４画素に於ける書き換え電圧ＶWの和は−６０Ｖとなり、維持電圧Ｖrは＋２．０Ｖとなる。制御回路１４０はこうした駆動を実現する。αの範囲に関しては、実験によると、αが０．０１よりも大きければ、輪郭残像の発生を抑制でき、αが０．１よりも小さければ、電気泳動材料２４の電気的な劣化を抑制できる。尚、実施形態１の様に維持電圧Ｖrを定める方式を定数方式と名付け、本実施形態の様に維持電圧Ｖrを定める方式を比例方式と名付ける。
【００７４】
以上述べたように、本実施形態に係る駆動方法によれば、実施形態１での効果に加えて、以下の効果を得ることができる。
実施形態１の「輪郭残像の原因並びに本願効果の理由」の章に詳述した様に、境界部の滲みや輪郭残像の主因は、書き換え画素の画素電極２２から維持画素の画素電極２２への漏れ電流である。この漏れ電流の大小は書き換え電圧ＶWの和に比例する。従って、それに比例する様に維持電圧Ｖrの値を設定する事で、実施形態１に比べてより完璧に滲みや輪郭残像といった課題を解決できる。即ち、より完全な形態で、所期の画像品位を得ることができる。
従って、所期の画像品位が得られる制御回路１４０、および電気泳動表示装置を提供することができる。
【００７５】
尚、本発明は上述した実施形態に限定されず、上述した実施形態に種々の変更や改良などを加えることが可能である。変形例を以下に述べる。
【００７６】
（変形例１）
「多階調表示の形態」
表４は、変形例１に係わる電気光学装置の駆動方法を説明する物である。以下、本変形例に係わる電気光学装置の駆動方法と制御回路とについて説明する。尚、実施形態１乃至は実施形態２と同一の構成部位については、同一の番号を附し、重複する説明は省略する。
【００７７】
本変形例（表４）は実施形態１（表２）や実施形態２（表３）と比べて、階調が多値となっている点が異なっている。それ以外の構成は、実施形態１及び実施形態２とほぼ同様である。
【００７８】
【表４】
2012237922.tif 000006
【００７９】
実施形態１や実施形態２は白黒表示で、書き換え電圧ＶWは高電位ＶHと低電位ＶLの二値で有った。これに対して、本変形例では、白黒以外にもその中間階調を有し、書き換え電圧は三値以上の多値となる。具体的には書き換え電圧ＶWは高電位ＶH（＋１５Ｖ）と低電位ＶL（−１５Ｖ）の他に、高電位側中間電位ＶMH（＋７．５Ｖ）や低電位側中間電位ＶML（−７．５Ｖ）を有する。維持電圧Ｖrはこうした書き換え電圧の和に応じて定められる。即ち、維持画素定数方式では、和の正負の極性に応じて正負の小さい固定値が維持電圧Ｖrとして定められ、維持画素比例方式では、維持電圧Ｖrはその周辺画素に於ける書き換え電圧ＶWの和に比例する。表４には多階調表示時の維持電圧が定数方式と比例方式（α＝０．０３３３）にて、電圧単位Ｖを省略して記載してある。例えば、対象とする画素が白から白への維持画素で、その周辺３画素が白から黒への書き換え画素で＋１５Ｖがそれぞれの画素に印加され、残りの１画素が灰色から黒乃至は白から灰色への書き換え画素で＋７．５Ｖが印加される場合、周辺４画素に於ける書き換え電圧ＶWの和は＋５２．５Ｖとなり、維持電圧Ｖrは定数方式で−０．５Ｖ、比例方式で−１．７５Ｖとなる。又、白から白への維持画素で、その周辺４画素の内で３画素が白から黒への書き換え画素で＋１５Ｖがそれぞれの画素に印加され、残りの１画素が灰色から白乃至は黒から灰色への書き換え画素で−７．５Ｖが印加される場合、周辺４画素に於ける書き換え電圧ＶWの和は＋３７．５Ｖとなり、維持電圧Ｖrは定数方式で−０．５Ｖ、比例方式で−１．２５Ｖとなる。或いは維持画素の周辺４画素の内で２画素が白から黒への書き換え画素で＋１５Ｖがそれぞれの画素に印加され、別の２画素が黒から白への書き換え画素で−１５Ｖがそれぞれの画素に印加される場合、周辺４画素に於ける書き換え電圧ＶWの和は０Ｖとなり、維持電圧Ｖrは０Ｖとなる。同様に、黒から黒への維持画素で、その周辺３画素が黒から白への書き換え画素で−１５Ｖがそれぞれの画素に印加され、残りの１画素が灰色から白乃至は黒から灰色への書き換え画素で−７．５Ｖが印加される場合、周辺４画素に於ける書き換え電圧ＶWの和は−５２．５Ｖとなり、維持電圧Ｖrは定数方式で＋０．５Ｖ、比例方式で＋１．７５Ｖとなる。又、黒から黒への維持画素で、その周辺４画素の内で３画素が黒から白への書き換え画素で−１５Ｖがそれぞれの画素に印加され、残りの１画素が灰色から黒乃至は白から灰色への書き換え画素で＋７．５Ｖが印加される場合、周辺４画素に於ける書き換え電圧ＶWの和は−３７．５Ｖとなり、維持電圧Ｖrは定数方式で＋０．５Ｖ、比例方式で＋１．２５Ｖとなる。制御回路１４０はこうした駆動を実現する。
【００８０】
以上述べたように、本変形例に係る駆動方法によれば、実施形態１乃至は２での効果に加えて、多階調表示を行っても、滲みや輪郭残像といった課題を解決できる。即ち、より完全な形態で、所期の画像品位を得ることができる。
従って、所期の画像品位が得られる制御回路１４０、および電気泳動表示装置を提供することができる。
【００８１】
（変形例２）
「多角形画素の形態」
表５と表６とは、変形例２に係わる電気光学装置の駆動方法を説明する物である。以下、本変形例に係わる電気光学装置の駆動方法と制御回路とについて説明する。尚、実施形態１乃至２と同一の構成部位については、同一の番号を附し、重複する説明は省略する。
【００８２】
本変形例（表５、表６）は実施形態１（表２）と比べて、画素２０の形状が異なっている。それ以外の構成は、実施形態１及び実施形態２とほぼ同様である。実施形態１や実施形態２では画素２０の形状は四角形で有った。これに対して、本変形例では、画素２０の形状は多角形となる。画素２０の形状は同一多角形で平面を充填できる三角形や四角形、六角形が好ましい。この他にも異なった形状の五角形でも平面を充填できるので、五角形の画素２０も可能である。更には複数種類の多角形を画素２０として組み合わせても良い。本変形例では画素２０の形状が三角形と六角形との場合を説明する。
【００８３】
表５は画素形状が正三角形の場合に於ける維持電位Ｖrを定数方式と比例方式とで表している。正三角形の画素形状では隣り合う画素数は３個となる。これらの画素への書き換え電圧Ｖwの和に応じて、維持電位Ｖrを定める。例えば、白から白への維持画素で、その周辺３画素の内で２画素が白から黒への書き換え画素でそれぞれ＋１５Ｖが印加され、残りの１画素が維持画素で有る場合、周辺３画素に於ける書き換え電圧ＶWの和は＋３０Ｖとなり、維持電圧Ｖrは、定数方式で−０．５Ｖ、比例方式で−１．０Ｖとなる。
【００８４】
【表５】
2012237922.tif 000007
【００８５】
表６は画素形状が正六角形の場合に於ける維持電位Ｖrを定数方式と比例方式とで表している。正六角形の画素形状では隣り合う画素数は６個となる。これらの画素への書き換え電圧Ｖwの和に応じて、維持電位Ｖrを定める。例えば、白から白への維持画素で、その周辺６画素の内で４画素が白から黒への書き換え画素でそれぞれ＋１５Ｖが印加され、残りの２画素の内で１画素が維持画素で、もう１画素が黒から白への書き換え画素で−１５Ｖが印加され場合、周辺３画素に於ける書き換え電圧ＶWの和は＋４５Ｖとなり、維持電圧Ｖrは、定数方式で−０．５Ｖ、比例方式で−１．５Ｖとなる。
【００８６】
【表６】
2012237922.tif 000008
【００８７】
尚、正多角形以外の画素形状の場合、維持画素の総ての辺の長さの和に対する、隣画素との辺の長さの比に応じて隣画素からの寄与を定め、それに応じて周辺画素への書き換え電圧Ｖwの和を取るのが好ましい。例えば、隣画素３と隣画素６とに接する辺がその他の辺に比べて３倍長ければ、表６で隣画素３の列と隣画素６の列の電圧を３倍として、周辺画素からの和を取り、これに応じて維持電圧Ｖrを定める。同様に、実施形態１でも、画素電極２２が縦横比１：３の縦長の長方形で有る場合、長辺に隣り合う左右の画素からの寄与度を短辺に隣り合う上下の画素からの寄与度の３倍として、周辺画素への書き換え電圧Ｖwの和を取るのが好ましい。
【００８８】
以上述べたように、本変形例に係る駆動方法によれば、実施形態１乃至は２での効果に加えて、様々な画素形状であっても、滲みや輪郭残像といった課題を解決できる。即ち、より完全な形態で、所期の画像品位を得ることができる。
従って、所期の画像品位が得られる制御回路１４０、および電気泳動表示装置を提供することができる。
【００８９】
（変形例３）
「共通電位がゼロでない形態」
図６を用いて、本変形例に係わる電気光学装置の駆動方法と制御回路とについて説明する。尚、実施形態１と同一の構成部位については、同一の番号を附し、重複する説明は省略する。
【００９０】
本変形例は実施形態１や実施形態２と比べて、共通電位がゼロでない点が異なっている。それ以外の構成は、実施形態１及び実施形態２とほぼ同様である。
【００９１】
実施形態１や実施形態２では共通電位がゼロであり、低電位ＶL等が負の値を取った。これに対して、本変形例では、最も低い電位をゼロとする様に電位全体をずらす。高電位ＶHも低電位ＶLも維持電位Ｖrも総て共通電位Ｖcomに対する相対電位であるので、低電位ＶLがゼロとなる様に総ての電位を正にシフトさせる。具体的には、Ｖcom＝＋１５Ｖとし、総ての電位はこれを基準とする。例えば、高電位ＶHとして実際に画素電極２２に供給する電位はＶcom＋１５Ｖ＝３０Ｖとし、低電位ＶLとして実際に画素電極２２に供給する電位はＶcom−１５Ｖ＝０Ｖとし、＋０．５Ｖに相当する維持電圧Ｖrとして実際に画素電極２２に供給する電位はＶcom＋０．５Ｖ＝１５．５Ｖとし、０Ｖに相当する維持電圧Ｖrとして実際に画素電極２２に供給する電位はＶcom＋０Ｖ＝１５Ｖとし、−０．５Ｖに相当する維持電圧Ｖrとして実際に画素電極２２に供給する電位はＶcom−０．５Ｖ＝１４．５Ｖとする。この様にシステムで用いられる電圧を総てゼロ以上の正の値にしても良い。電子機器１００を構成する上で、負の電圧を準備するのが困難な場合がある。こうした際には、本変形例が示す様に総ての電位がゼロ以上となる様に電位関係全体を平行移動させても良い。
【００９２】
以上述べたように、本変形例に係る駆動方法によれば、実施形態１での効果に加えて、以下の効果を得ることができる。
正負の両極性の電圧を準備する必要がなくなり、電子機器１００に供給する電源体系を簡略化する事ができる。
【符号の説明】
【００９３】
１０…表示部、２０…画素、２１…画素スイッチング用トランジスター、２２…画素電極、２３…共通電極、２４…電気泳動材料、２５…保持容量、３０…走査線、４０…データ線、５０…共通電位線、６０…制御部、７０…駆動回路、７１…コントローラー、７２…走査線駆動回路、７３…データ線駆動回路、７４…共通電位供給回路、８０…画像信号処理部、９０…記憶部、１００…電子機器、１１０…フレームメモリー、１２０…操作部、１３０…画像信号供給回路、１４０…制御回路、１５０…電気光学装置。
【図１】
2012237922.tif 000009
【図２】
2012237922.tif 000010
【図３】
2012237922.tif 000011
【図４】
2012237922.tif 000012
【図５】
2012237922.tif 000013
【図６】
2012237922.tif 000014
【図７】
2012237922.tif 000015
【図８】
2012237922.tif 000016
【図９】
2012237922.tif 000017